【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
複数の場所の映像をそれぞれ取得するための映像取得手段と、
移動体であるユーザーの現在位置を取得するための現在位置取得手段と、
前記現在位置取得手段からの情報に基づいて、前記各映像取得手段により取得される複数の場所の映像の中から、前記ユーザーの現在位置からユーザーの目的地ヘ向う経路の途中に存在する一つ又は複数の場所の映像を、ユーザー側で略リアルタイムに表示する映像として、略リアルタイムに特定するための映像特定手段と、
前記映像特定手段により特定された一つ又は複数の場所の映像を、ユーザー側に略リアルタイムに表示させるために、オンラインで略リアルタイムにユーザー側に向けて送信するための映像送信手段と、
を備えたことを特徴とする略リアルタイム映像提供装置。
【請求項２】
移動体であるユーザーの現在位置を取得するための現在位置取得手段と、
前記現在位置取得手段により取得される現在位置情報をセンター側に送信するための現在位置送信手段と、
複数の場所からネットワークを介して取得される複数の場所の映像の中から、「前記ユーザーからの現在位置情報に基づいて取得される前記ユーザーの現在位置からユーザーの目的地ヘ向う経路の途中に存在する一つ又は複数の場所の映像」としてセンター側により略リアルタイムに特定された一つ又は複数の場所の映像を、オンラインで略リアルタイムに受信するための映像受信手段と、
前記映像受信手段により受信した映像を略リアルタイムに表示するための映像表示手段と、
を備えたことを特徴とする略リアルタイム映像提供装置。
【請求項３】
複数の場所の映像をそれぞれ取得するための映像取得手段と、
前記映像取得手段により取得される複数の場所の映像の中から、移動体であるユーザーの現在位置からユーザーの目的地ヘ向う経路の途中に存在する一つ又は複数の場所の映像を、ユーザー側で略リアルタイムに表示する映像として、略リアルタイムに特定するための第１の映像特定手段と、
前記映像特定手段により特定された前記一つ又は複数の場所の映像を、ユーザー側に略リアルタイムに表示させるために、オンラインで略リアルタイムにユーザー側に送信するための第１の映像送信手段と、
移動体であるユーザーの現在位置を取得するための現在位置取得手段と、
前記現在位置取得手段からの情報に基づいて、前記映像取得手段により取得される複数の場所の映像の中から、前記ユーザーの現在位置からユーザーの目的地ヘ向う経路の途中に存在する一つ又は複数の場所の映像を、ユーザー側で略リアルタイムに表示させる映像として、略リアルタイムに特定するための第２の映像特定手段と、
前記映像特定手段により特定された一つ又は複数の場所の映像を、ユーザー側に略リアルタイムに表示させるために、オンラインで略リアルタイムにユーザー側に向けて送信するための第２の映像送信手段と、
を備えたことを特徴とする略リアルタイム映像提供装置。
【請求項４】
複数の場所からネットワークを介して送信される複数の場所の映像の中から、「移動体であるユーザーの現在位置からユーザーの目的地ヘ向う経路中に存在する一つ又は複数の場所の映像」としてセンター側により特定された一つ又は複数の場所の映像を、オンラインで略リアルタイムに受信するための第１の映像受信手段と、
移動体であるユーザーの現在位置を取得するための現在位置取得手段と、
前記現在位置取得手段からの情報に基づいて、複数の場所からネットワークを介して取得される複数の場所の映像の中から、「移動体であるユーザーの現在位置又はその近くに存在する一つ又は複数の場所の映像」としてセンター側により略リアルタイムに特定された一つ又は複数の場所の映像を、オンラインで略リアルタイムに受信するための第２の映像受信手段と、
前記第１又は第２の映像受信手段により受信された映像を略リアルタイムにユーザー側に表示するための映像表示手段と、
を備えたことを特徴とする映像提供装置。
【請求項５】
複数の場所の映像をそれぞれ取得するための映像取得手段と、
前記各映像取得手段により取得される複数の場所の映像の中から、「移動体であるユーザーの現在位置からユーザーの目的地ヘ向う経路中に存在する一つ又は複数の場所の映像」を、ユーザー側で略リアルタイムに表示させる映像として、略リアルタイムに特定するための映像特定手段と、
前記映像特定手段により特定された一つ又は複数の場所の映像を、ユーザー側で略リアルタイムに表示させるために、オンラインで略リアルタイムにユーザー側に送信するための映像送信手段（ただし、「映像取得手段により取得され、移動体であるユーザーの現在位置からユーザーの目的地ヘ向う経路中に存在する場所の映像であって、ユーザーが車両で移動している場合において前記車両が既に接近している交差点であって且つ前記車両が進入・通過する交差点の映像」を、ユーザー側に略リアルタイムに表示させるために、オンラインで略リアルタイムにユーザー側に送信するための映像送信手段、を除く）と、
を備えたことを特徴とする略リアルタイム映像提供装置。
【請求項６】
複数の場所の映像をそれぞれ取得する各映像取得手段からそれぞれネットワークを介して送信される複数の場所の映像の中から、「移動体であるユーザーの現在位置からユーザーの目的地ヘ向う経路中に存在する一つ又は複数の場所の映像」として略リアルタイムに特定された一つ又は複数の場所の映像を、略リアルタイムにオンラインで受信するための映像受信手段（ただし、「映像取得手段により取得され、移動体であるユーザーの現在位置からユーザーの目的地ヘ向う経路中に存在する場所の映像であって、ユーザーが車両で移動している場合において前記車両が既に接近している交差点であって且つ前記車両が進入・通過する交差点の映像」を略リアルタイムにオンラインで受信するための映像受信手段、を除く）と、
前記映像受信手段により受信された映像を略リアルタイムに表示するための映像表示手段と、
を備えたことを特徴とする略リアルタイム映像提供装置。
【請求項７】
複数の場所の映像をそれぞれ取得するための映像取得手段と、
移動体であるユーザーの現在位置とユーザーの目的地とに基づいて、前記現在位置から前記目的地への経路を求めるための経路取得手段と、
前記経路取得手段からの情報に基づいて、前記各映像取得手段により取得される複数の場所の映像の中から、「前記経路中に存在する一つ又は複数の場所の映像」を、ユーザー側に略リアルタイムに表示させる映像として、略リアルタイムに特定するための映像特定手段と、
前記映像特定手段により特定された一つ又は複数の場所の映像を、ユーザー側に略リアルタイムに表示させるために、オンラインで略リアルタイムにユーザー側に送信するための映像送信手段と、
を備えたことを特徴とする略リアルタイム映像提供装置。
【請求項８】
ユーザー側又はセンター側に備えられた経路取得手段であって、移動体であるユーザーの現在位置とユーザーの目的地とに基づいて、前記現在位置から前記目的地への経路を求めるための経路取得手段と、
前記経路取得手段からの情報に基づいて、複数の場所からネットワークを介して取得される複数の場所の映像の中から、「前記経路中に存在する一つ又は複数の場所の映像」としてセンター側により略リアルタイムに特定された一つ又は複数の場所の映像を、略リアルタイムにオンラインで受信するための映像受信手段と、
前記映像受信手段により受信された映像を略リアルタイムに表示するための映像表示手段と、
を備えたことを特徴とする略リアルタイム映像提供装置。
【請求項９】
複数の場所の映像をそれぞれ取得するための映像取得手段と、
前記各映像取得手段により取得される複数の場所の映像の中から、「移動体であるユーザーの現在位置からユーザーの目的地ヘ向う経路中に存在する一つ又は複数の場所の映像」を略リアルタイムに特定するため映像特定手段と、
前記映像特定手段により特定された一つ又は複数の場所の映像を、ユーザー側に略リアルタイムに表示させるために、オンラインで略リアルタイムにユーザー側に送信するための映像送信手段と、
を備えたことを特徴とする略リアルタイム映像提供装置。
【請求項１０】
複数の場所からネットワークを介して取得される複数の場所の映像の中から、「移動体であるユーザーの現在位置からユーザーの目的地ヘ向う経路中に存在する一つ又は複数の場所の映像」としてセンター側により略リアルタイムに特定された一つ又は複数の場所の映像を、略リアルタイムにオンラインで受信するための映像受信手段と、
前記映像受信手段により受信された映像を略リアルタイムに表示するための映像表示手段と、
を備えたことを特徴とする略リアルタイム映像提供装置。
【請求項１１】
複数の場所の映像をそれぞれ取得するための映像取得手段と、
移動体であるユーザーの現在位置を取得するための現在位置取得手段と、
ユーザーが希望する情報に関するキーワードなどのキー・データを取得するためのキー・データ取得手段と、
前記現在位置取得手段からの情報及び前記キー・データ取得手段からのキーワードなどのキー・データに基づいて、前記各映像取得手段により取得される複数の場所の映像の中から、前記ユーザーの現在位置からユーザーの目的地ヘ向う経路の途中に存在し且つ前記キー・データに適合する一つ又は複数の場所の映像を、ユーザー側で略リアルタイムに表示する映像として、略リアルタイムに特定するための映像特定手段と、
前記映像特定手段により特定された一つ又は複数の場所の映像を、ユーザー側に略リアルタイムに表示させるために、オンラインで略リアルタイムにユーザー側に向けて送信するための映像送信手段と、
を備えたことを特徴とする略リアルタイム映像提供装置。
【請求項１２】
移動体であるユーザーの現在位置を取得するための現在位置取得手段と、
ユーザーが希望する情報に関するキーワードなどのキー・データを取得するためのキー・データ取得手段と、
前記現在位置取得手段により取得される現在位置情報をセンター側に送信するための現在位置送信手段と、
複数の場所からネットワークを介して取得される複数の場所の映像の中から、前記ユーザーの現在位置情報及び前記キー・データに基づいて、「前記ユーザーの現在位置からユーザーの目的地ヘ向う経路の途中に存在し且つ前記キー・データに適合する一つ又は複数の場所の映像」としてセンター側により略リアルタイムに特定された一つ又は複数の場所の映像を、オンラインで略リアルタイムに受信するための映像受信手段と、
前記映像受信手段により受信した映像を略リアルタイムに表示するための映像表示手段と、
を備えたことを特徴とする略リアルタイム映像提供装置。
【請求項１３】
複数の場所の映像をそれぞれ取得するための映像取得手段と、
前記映像取得手段により取得される映像の中から、「移動体であるユーザーの現在位置からユーザーの目的地ヘ向う経路の途中に存在し且つユーザーが希望する情報に関するキーワードなどのキー・データに適合する一つ又は複数の場所の映像」を、ユーザー側で略リアルタイムに表示する映像として、略リアルタイムに特定するための第１の映像特定手段と、
前記映像特定手段により特定された前記一つ又は複数の場所の映像を、ユーザー側に略リアルタイムに表示させるために、オンラインで略リアルタイムにユーザー側に送信するための第１の映像送信手段と、
移動体であるユーザーの現在位置を取得するための現在位置取得手段と、
前記現在位置取得手段からの情報に基づいて、前記映像取得手段により取得される映像の中から、「前記ユーザーの現在位置からユーザーの目的地ヘ向う経路の途中に存在する一つ又は複数の場所の映像」を、ユーザー側で略リアルタイムに表示させる映像として、略リアルタイムに特定するための第２の映像特定手段と、
前記映像特定手段により特定された一つ又は複数の場所の映像を、ユーザー側に略リアルタイムに表示させるために、オンラインで略リアルタイムにユーザー側に向けて送信するための第２の映像送信手段と、
を備えたことを特徴とする略リアルタイム映像提供装置。
【請求項１４】
複数の場所からネットワークを介して取得される複数の場所の映像の中から、「移動体であるユーザーの現在位置からユーザーの目的地ヘ向う経路中に存在し且つユーザーが希望する情報に関するキーワードなどのキー・データに適合する一つ又は複数の場所の映像」としてセンター側により略リアルタイムに特定された一つ又は複数の場所の映像を、オンラインで略リアルタイムに受信するための第１の映像受信手段と、
移動体であるユーザーの現在位置を取得するための現在位置取得手段と、
前記現在位置取得手段からの情報に基づいて、複数の場所からネットワークを介して取得される複数の場所の映像の中から、「移動体であるユーザーの現在位置又はその近くに存在する一つ又は複数の場所の映像」としてセンター側により略リアルタイムに特定された一つ又は複数の場所の映像を、オンラインで略リアルタイムに受信するための第２の映像受信手段と、
前記第１又は第２の映像受信手段により受信された映像を略リアルタイムにユーザー側に表示するための映像表示手段と、
を備えたことを特徴とする映像提供装置。
【請求項１５】
複数の場所の映像をそれぞれ取得するための映像取得手段と、
前記映像取得手段により取得される映像の中から、「移動体であるユーザーの現在位置からユーザーの目的地ヘ向う経路の途中に存在する一つ又は複数の場所の映像」を、ユーザー側で略リアルタイムに表示する映像として、略リアルタイムに特定するための第１の映像特定手段と、
前記第１の映像特定手段により特定された前記一つ又は複数の場所の映像を、ユーザー側に略リアルタイムに表示させるために、オンラインで略リアルタイムにユーザー側に送信するための第１の映像送信手段と、
移動体であるユーザーの現在位置を取得するための現在位置取得手段と、
ユーザーが希望する情報に関するキーワードなどのキー・データを取得するためのキー・データ取得手段と、
前記現在位置取得手段及び前記キー・データ取得手段からの情報に基づいて、前記映像取得手段により取得される映像の中から、「前記ユーザーの現在位置からユーザーの目的地ヘ向う経路の途中に存在し且つユーザーが希望する情報に関するキーワードなどのキー・データに適合する一つ又は複数の場所の映像」を、ユーザー側で略リアルタイムに表示させる映像として、略リアルタイムに特定するための第２の映像特定手段と、
前記第２の映像特定手段により特定された一つ又は複数の場所の映像を、ユーザー側に略リアルタイムに表示させるために、オンラインで略リアルタイムにユーザー側に向けて送信するための第２の映像送信手段と、
を備えたことを特徴とする略リアルタイム映像提供装置。
【請求項１６】
複数の場所からネットワークを介して取得される複数の場所の映像の中から、「移動体であるユーザーの現在位置からユーザーの目的地ヘ向う経路中に存在する一つ又は複数の場所の映像」としてセンター側により特定された一つ又は複数の場所の映像を、オンラインで略リアルタイムに受信するための第１の映像受信手段と、
移動体であるユーザーの現在位置を取得するための現在位置取得手段と、
ユーザーが希望する情報に関するキーワードなどのキー・データを取得するためのキー・データ取得手段と、
前記現在位置取得手段からの現在位置情報及び前記キー・データ取得手段からのキー・データに基づいて、複数の場所からネットワークを介して取得される複数の場所の映像の中から、「移動体であるユーザーの現在位置又はその近くに存在し且つ前記キー・データに適合する一つ又は複数の場所の映像」としてセンター側により略リアルタイムに特定された一つ又は複数の場所の映像を、オンラインで略リアルタイムに受信するための第２の映像受信手段と、
前記第１又は第２の映像受信手段により受信された映像を略リアルタイムにユーザー側に表示するための映像表示手段と、
を備えたことを特徴とする映像提供装置。
【請求項１７】
複数の場所の映像をそれぞれ取得するための映像取得手段と、
前記映像取得手段により取得される映像の中から、「移動体であるユーザーの現在位置からユーザーの目的地ヘ向う経路中に存在し且つユーザーが希望する情報に関するキーワードなどのキー・データに適合する一つ又は複数の場所の映像」を、ユーザー側で略リアルタイムに表示させる映像として、略リアルタイムに特定するための映像特定手段と、
前記映像特定手段により特定された一つ又は複数の場所の映像を、ユーザー側で略リアルタイムに表示させるために、オンラインで略リアルタイムにユーザー側に送信するための映像送信手段（ただし、「前記映像取得手段により取得され、移動体であるユーザーの現在位置からユーザーの目的地ヘ向う経路中に存在する場所の映像であって、ユーザーが車両で移動している場合において前記車両が既に接近している交差点であって且つ前記車両が進入・通過する交差点の映像」を、ユーザー側に略リアルタイムに表示させるために、オンラインで略リアルタイムにユーザー側に送信するための映像送信手段、を除く）と、
を備えたことを特徴とする略リアルタイム映像提供装置。
【請求項１８】
複数の場所からネットワークを介して取得される複数の場所の映像の中から、「移動体であるユーザーの現在位置からユーザーの目的地ヘ向う経路中に存在し且つユーザーが希望する情報に関するキーワードなどのキー・データに適合する一つ又は複数の場所の映像」としてセンター側により略リアルタイムに特定された一つ又は複数の場所の映像を、略リアルタイムにオンラインで受信するための映像受信手段（ただし、「前記映像取得手段により取得され、移動体であるユーザーの現在位置からユーザーの目的地ヘ向う経路中に存在する場所の映像であって、ユーザーが車両で移動している場合において前記車両が既に接近している交差点であって且つ前記車両が進入・通過する交差点の映像」を略リアルタイムに前記映像送信手段からオンラインで受信するための映像受信手段、を除く）と、
前記映像受信手段により受信された映像を略リアルタイムに表示するための映像表示手段と、
を備えたことを特徴とする略リアルタイム映像提供装置。
【請求項１９】
複数の場所の映像をそれぞれ取得するための映像取得手段と、
移動体であるユーザーの現在位置とユーザーの目的地とに基づいて、前記現在位置から前記目的地への経路を求めるための経路取得手段と、
ユーザーが希望する情報に関するキーワードなどのキー・データを取得するためのキー・データ取得手段と、
前記経路取得手段からの経路情報及び前記キー・データ取得手段からのキー・データに基づいて、前記映像取得手段により取得される映像の中から、「前記経路中に存在し且つユーザーが希望する情報に関するキーワードなどのキー・データに適合する一つ又は複数の場所の映像」を、ユーザー側に略リアルタイムに表示させる映像として、略リアルタイムに特定するための映像特定手段と、
前記映像特定手段により特定された一つ又は複数の場所の映像を、ユーザー側に略リアルタイムに表示させるために、オンラインで略リアルタイムにユーザー側に送信するための映像送信手段と、
を備えたことを特徴とする略リアルタイム映像提供装置。
【請求項２０】
ユーザー側又はセンター側に備えられた経路取得手段であって、移動体であるユーザーの現在位置とユーザーの目的地とに基づいて、前記現在位置から前記目的地への経路を求めるための経路取得手段と、
ユーザー側又はセンター側に備えられたキー・データ取得手段であって、ユーザーが希望する情報に関するキーワードなどのキー・データを取得するためのキー・データ取得手段と、
前記経路取得手段からの情報に基づいて、複数の場所からネットワークを介して取得される複数の場所の映像の中から、「前記経路中に存在し且つユーザーが希望する情報に関するキーワードなどのキー・データに適合する一つ又は複数の場所の映像」としてセンター側により略リアルタイムに特定された一つ又は複数の場所の映像を、略リアルタイムにオンラインで受信するための映像受信手段と、
前記映像受信手段により受信された映像を略リアルタイムに表示するための映像表示手段と、
を備えたことを特徴とする略リアルタイム映像提供装置。
【請求項２１】
複数の場所の映像をそれぞれ取得するための映像取得手段と、
前記映像取得手段により取得される映像の中から、「移動体であるユーザーの現在位置からユーザーの目的地ヘ向う経路中に存在し且つユーザーが希望する情報に関するキーワードなどのキー・データに適合する一つ又は複数の場所の映像」を略リアルタイムに特定するため映像特定手段と、
前記映像特定手段により特定された一つ又は複数の場所の映像を、ユーザー側に略リアルタイムに表示させるために、オンラインで略リアルタイムにユーザー側に送信するための映像送信手段と、
を備えたことを特徴とする略リアルタイム映像提供装置。
【請求項２２】
複数の場所からネットワークを介して取得される複数の場所の映像の中から、「移動体であるユーザーの現在位置からユーザーの目的地ヘ向う経路中に存在し且つユーザーが希望する情報に関するキーワードなどのキー・データに適合する一つ又は複数の場所の映像」としてセンター側により略リアルタイムに特定された一つ又は複数の場所の映像を、略リアルタイムにオンラインで受信するための映像受信手段と、
前記映像受信手段により受信された映像を略リアルタイムに表示するための映像表示手段と、
を備えたことを特徴とする略リアルタイム映像提供装置。